(57)【特許請求の範囲】
【請求項１】
ロール状に巻回される帯状台紙に多数のラベルが仮着されてなる記録紙が収納される本体と、
この本体に装着されて前記ラベルに印字を施す印字ヘッドと、
前記記録紙の帯状台紙が接触させられるとともに、この記録紙を排出口より排出するプラテンローラとを備えたラベル発行装置であって、
上記印字ヘッドの上流側に配設され、印字ヘッドに搬送される記録紙を前記プラテンローラに対して円弧状に周接するよう案内する案内板と、
前記本体に摺動可能に設けられ、前記排出口の近傍に摺動された際に、印字ヘッドの下流側において前記帯状台紙を介して前記プラテンローラに当接し、前記帯状台紙をプラテンローラに対して円弧状に周接するよう押し付けて排出口から離れる方向に折曲させるラベル発行切換部材と、
を具備してなることを特徴とするラベル発行装置。
【請求項２】
上記案内板は、プラテンローラに対し接近・離反自在とされ、プラテンローラに対する記録紙の周接面積を調整自在とすることを特徴とする請求項１に記載のラベル発行装置。
【発明の詳細な説明】
【０００１】
【発明の属する技術分野】
本発明は、特にサーマルヘッドを用いてラベルに印字を施すラベル発行装置に関する。
【０００２】
【従来の技術】
従来のラベル発行装置としては、例えば、特開２００１−１０６２１６号公報に示され、図３に開示されるようなものが知られている。
【０００３】
このラベル発行装置には、芯材Ｓに巻回された記録紙１を使用する。帯状台紙1ａに所定間隔をおいてラベル１ｂが仮着されたロール状の記録紙１を本体２に設けられた記録紙収納部２ａに収納し、この記録紙収納部２ａから前記記録紙１を引き出して排出口としてのラベル発行部２ｂへ送り込む構成となっている。
【０００４】
本体２の蓋体３には、プラテンローラ５が装着されており、蓋体３が閉位置に位置させられた状態（図３の状態）において、印字ヘッド４へ当接するようになっている。
【０００５】
また、プラテンローラ５の排出側の近傍に、プラテンローラ５と間隔をおいて平行に剥離部材９が設けられているとともに、この剥離部材９に対して前記記録紙１を挟んだ対向位置には、記録紙１の帯状台紙１ａを剥離部材９に押し付けることにより、帯状台紙１ａを曲折させるローラ状のラベル発行切換部材１０が前記本体２の表面に設けられている。前記ラベル発行切換部材１０は、プラテンローラ５の長さ方向と交差する方向（図３の矢示Ｆ方向）に沿って摺動可能に装着された可動体１１に回転自在に支持されている。
【０００６】
そして、可動体１１の摺動に伴って、ラベル発行切換部材１０が印字ヘッド４及びプラテンローラ５との当接位置よりも上方部位に位置しているときはラベル発行部２ｂから、印字されたラベル１ｂが帯状台紙１ａとともに順次排出されて、ラベル１ｂの連続発行が行われる。
【０００７】
一方、ラベル１ｂを剥離発行する場合は、前記可動体１１を下方部位に移動させ二点鎖線に示す位置にラベル発行切換部材１０を、剥離部材９を越えて移動させるとともに、ラベル発行切換部材１０を前記プラテンローラ５に接触させて位置決めさせる。
このような位置に可動体１１を移動させる過程において、前記帯状台紙１ａは、ラベル発行切換部材１０によって剥離部材９へ押し付けられるとともに、この剥離部材９との当接部分においてプラテンローラ５側へ折り返され、かつ、プラテンローラ５と前記ラベル発行切換部材１０との間に挟持された状態において、前記可動体１１に形成されている貫通孔１２が、前記印字ヘッド４とプラテンローラ５との当接部分近傍に対向位置させられる。そして、帯状台紙１ａは、印字ヘッド４とプラテンローラ５との当接部分から剥離部材９を経て、ラベル発行切換部材１０とプラテンローラ５との当接部分から本体２の外方へ至る搬送路が形成され、その搬送路は前記剥離部材９において転向と称される、大きく曲折させられた状態を呈するようになっている。そして、前記剥離部材９における帯状台紙１ａの転向時ラベル１ｂは、自身のもつ剛性により帯状台紙１ａより剥離され、ラベル１ｂが単体で発行可能なようにされている。
なお、図３における１４は操作者などに取付ける場合のクリップを示す。
【０００８】
しかしながら、このような従来のラベル発行装置においては、剥離発行をする際剥離部材9を必要としており、特に、軽量化、コンパクト化が求められるポータブルプリンタにおいては、前記剥離部材９だけでなく、これに付随する部品も多くなるため、剥離部材を削減した上で、なおかつ帯状台紙１ａからのラベル１ｂの剥離性が良好な装置の開発が望まれた。
【０００９】
【発明が解決しようとする課題】
本発明は、上記のような問題点に着目してなされたものであって、剥離部材９を削減した上で、帯状台紙からのラベルの剥離性を向上させたラベル発行装置を提供することを課題とする。
【００１０】
【課題を解決するための手段】
上記課題を達成するため、本発明に係るラベル発行装置は、ロール状に巻回される帯状台紙に多数のラベルが仮着されてなる記録紙が収納される本体と、この本体に装着されて前記ラベルに印字を施す印字ヘッドと、前記記録紙の帯状台紙が接触させられるとともに、この記録紙を排出口より排出するプラテンローラとを備えたラベル発行装置であって、前記印字ヘッドの上流側に配設され、印字ヘッドに搬送される記録紙を前記プラテンローラに対して円弧状に周接するよう案内する案内板と、前記本体に摺動可能に設けられ、前記排出口の近傍に摺動された際に、印字ヘッドの下流側において前記帯状台紙を介して前記プラテンローラに当接し、前記帯状台紙をプラテンローラに対して円弧状に周接するよう押し付けて排出口から離れる方向に折曲させるラベル発行切換部材と、を具備してなることを特徴とする。
ラベル発行装置。
また、上記案内板は、プラテンローラに対し接近・離反自在とされ、プラテンローラに対する記録紙の周接面積を調整可能とすることができる。
【００１１】
【発明の実施の形態】
以下、図１及び図２を参照して、本発明の好適な一実施の形態を説明する。
なお、従来と同様の部分については同一符号を付すに止め、重複説明を省略する。
【００１２】
図１及び図２は、各々排出口としてのラベル発行部２ｂ近辺の拡大側面図を示している。
本実施の形態のラベル発行装置には、印字ヘッド４の上流側に、記録紙１を案内する案内板２０が配設されている。
この案内板２０は、図示せぬネジなどの微調整手段を用い、プラテンローラ５に対して接近あるいは離反自在となるように設けられており、この案内板２０とプラテンローラ５の間を記録紙収納部２ａから繰り出された記録紙１が通過するようになっている。通過する際、記録紙１は、案内板２０により案内されて印字ヘッド４へと搬送される。
【００１３】
記録紙１を案内する案内板２０が微調整手段（図示せず）によってプラテンローラ５に対し接近・離反可能となっていることにより、印字ヘッド４の上流側におけるプラテンローラ５と記録紙１との接触面積は変化する。すなわち、案内板２０がプラテンローラ５に接近すると、記録紙１はプラテンローラ５側に押し付けられることになって、プラテンローラ５との接触面積を増し、一方、案内板２０がプラテンローラ５より離反すると、プラテンローラ５と記録紙１との接触面積は減少することになる。このプラテンローラ５と記録紙１との接触面積は、記録紙１がプラテンローラ５の周面に接触、すなわち周接することから、以降、「周接面積」と称する。
【００１４】
案内板２０によって案内された記録紙１は印字ヘッド４とプラテンローラ５とに挟持されてラベル発行部２ｂから発行されるようになっている。
【００１５】
本体２のラベル発行部２ｂ近傍には、貫通孔１２とロール状のラベル発行切換部材１０が備えられた可動体１１が、本体２に対し摺動自在に設けられている。
【００１６】
図１は、可動体１１の摺動に伴って、ラベル発行切換部材１０が印字ヘッド４及びプラテンローラ５と記録紙１の当接位置よりも上方部位に位置している状態を示しており、このときはラベル発行部２ｂから、印字されたラベル１ｂが帯状台紙１ａとともに順次排出されて、ラベル１ｂの連続発行が行われる
【００１７】
一方、ラベル１ｂを剥離発行する場合は可動体１１を下方部位に摺動し、図２に示すように、ラベル発行切換部材１０をプラテンローラ５の頂点位置を越えて移動させるとともに、前記プラテンローラ５に接触させて位置決めさせる。このとき可動体１１に形成されている貫通孔１２は、ラベル発行部２ｂに対向位置決めされるようになっている。
【００１８】
ここで、剥離発行時のラベル発行切換部材１０、プラテンローラ５、印字ヘッド４、案内板２０の位置関係につき詳述する。
図２に示すように、プラテンローラ５は、回転中心Ｏを中心として回転している。
プラテンローラ５の回転中心Ｏを通る垂線をＶ、この垂線Ｖに直交する水平線をＨとした場合、印字ヘッド４とプラテンローラ５は、ほぼ垂線Ｖがプラテンローラ５の外周面と交わる上部の頂点位置Ｖ１近辺にて当接するようにされている。
一方、ラベル発行切換部材１０は、水平線Ｈがプラテンローラ５の外周面と交わる左端側の頂点位置Ｈ１より下流にて当接するようになっている。
また、案内板２０は、前述したように、プラテンローラ５に対し接近・離反自在に配設されており、プラテンローラ５に対し案内板２０を接近させると、この案内板２０に案内される記録紙１は、水平線Ｈがプラテンローラ５の外周面と交わる右端側の頂点位置Ｈ２に、より近づいて当接しプラテンローラ５と記録紙１との周接面積を増加させ、先とは逆に、プラテンローラ５から案内板２０が離反すると、記録紙１は、プラテンローラ５の垂直線Ｖの頂点位置Ｖ１に、より近づいて当接しプラテンローラ５と記録紙１との周接面積を減少するようになっている。
【００１９】
次に、ラベル発行装置の使用状態を説明する。
【００２０】
ラベル１ｂの連続発行時には、図１に示すように、可動体１１を本体２の上方部位へ摺動する。摺動に伴って、可動体１１は本体２のラベル発行部２ｂを開放するとともに、ラベル発行切換部材１０は、印字ヘッド４及びプラテンローラ５との当接位置よりも上方位置に位置決めされる。
【００２１】
この状態において、記録紙収納部２ａより記録紙１を引き出し、案内板２０とプラテンローラ５との間を通し、更に、印字ヘッド４とプラテンローラ５の間に挟持してラベル発行部２ｂへと導き、図示せぬスイッチを投入してラベル発行装置を作動すると、印字ヘッド４とプラテンローラ５に挟持された記録紙１はプラテンローラ５の回転に伴い、帯状台紙１ａにラベル１ｂを仮着した状態でラベル発行部２ｂから連続して発行される。
【００２２】
次に、ラベル１ａを剥離発行する場合は、記録紙収納部２ａより記録紙１を引き出し、案内板２０とプラテンローラ５との間を通し、印字ヘッド４とプラテンローラ５の間に挟持してラベル発行部２ｂへと導き、更に、帯状台紙１ａをプラテンローラ５に周接させた状態で下方部位に待機させる。
このとき案内板２０は、ネジなどの図示省略の微調整手段により、プラテンローラ５に対し最も接近した位置に位置決めし、プラテンローラ５と記録紙１の周接面積が最大限に増加するよう調整する。
そして、図２に示すように、可動体１１を下方部位に摺動する。可動体１１の摺動に伴い、ラベル発行切換部材１０は、プラテンローラ５の水平線Ｈの頂点位置Ｈ１（左端部側）よりも下流に位置決めされ、しかも、ラベル発行切換部材１０が帯状台紙１ａをプラテンローラ５に押し付けるような状態に位置決めされ、帯状台紙１ａはプラテンローラ５に周接してラベル発行部２ｂから離れる方向に折り返される。
また、可動体１１の摺動に伴い、前記可動体１１に形成されている貫通孔１２は、ラベル発行部２ｂに対向位置決めされる。
【００２３】
この状態において、図示せぬスイッチを投入してラベル発行装置を作動すると、帯状台紙１ａは、案内板２０に案内されつつ印字ヘッド４及びプラテンローラ５に挟持され、貫通孔１２近辺で方向を変え、プラテンローラ５にて急激に丸められてラベル発行部２ｂから離れる方向に転向し、更に、ベル発行切換部材１０とプラテンローラ５とに挟持されて引っ張られる、搬送路が形成される。
【００２４】
前記搬送路は、印字ヘッド４の入力側において、先のプラテンローラ５に対する案内板２０の接近に伴う周接面積の増加、並びに、下流側において、ラベル発行切換部材１０が水平線Ｈの左端部側の頂点位置Ｈ１よりも下流に位置決めされてプラテンローラ５と当接するという、およそプラテンローラ５の半周に達する円弧状に形成されるため周接面積が大きく、しかも、プラテンローラ５にて急激に丸められ貫通孔１２近辺にて転向された帯状台紙１ａは、更に、ラベル発行切換部材１０とプラテンローラ５とに挟持されて引っ張られるため、帯状台紙１ａに仮着されたラベル１ｂは容易に剥離され、貫通孔１２から発行されることになる。
【００２５】
なお、プラテンローラ５は、従来のものよりも径を小さくし、直径１０ｍｍ程度とすると転向性が良好で、帯状台紙１ａからのラベル１ｂの剥離性が良いことを出願人は実践にて得ている。
【００２６】
なお、プラテンローラ５に対する案内板２０の接近・離反は、案内板２０の上端部２０ａ側を、プラテンローラ５の回転中心Oを通る水平線Ｈよりも低くし、かつ、下端部２０ｂの後端部側を支点として上端部２０ａ側を揺動させるようにすると、より効率的に実施可能であり、かつ、プラテンローラ５と記録紙１の周接面積もより大きく得られるようになるものである。
【００２７】
【発明の効果】
この発明に係るラベル発行装置は、印字ヘッドの上流側において、記録紙を案内板にてプラテンローラに対し円弧状に周接するよう案内し、かつ、印字ヘッドの下流側にて帯状台紙をプラテンローラに対して円弧状になるよう押し付けて排出口から離れる方向に曲折させる押圧ローラを設けたので、記録紙がプラテンローラに対して印字ヘッドの入力側、印字ヘッド、押圧ローラとプラテンローラの当接位置という、長い範囲で周接され、更に、プラテンローラの丸みにて帯状台紙が転向されるため、剥離手段がなくとも帯状台紙からのラベルの剥離性がよいという効果がある。
【図面の簡単な説明】
【図１】本発明の一実施の形態に係るラベル発行装置の連続発行を示すラベル発行部近傍の拡大側面図である。
【図２】同、剥離発行を示すラベル発行部近傍の拡大側面図である。
【図３】従来のラベル発行装置の概略側面説明図である。
【符号の説明】
１      記録紙
１ａ    帯状台紙
１ｂ    ラベル
２      本体
２ａ    記録紙収納部
２ｂ    ラベル発行部
４      印字ヘッド
５      プラテンローラ
１０    ラベル発行切換部材
１１    可動体
１２    貫通孔
２０    案内板
【図１】
0003956352.tif 000002
【図２】
0003956352.tif 000003
【図３】
0003956352.tif 000004